(57)【要約】【課題】画像を形成する際の画像形成条件の設定内容を過去に遡って一覧表示し、ユーザの画像形成条件設定時における利便性を向上させる。【解決手段】本発明に係る画像形成条件設定装置によれば、設定された設定内容を設定項目と対応付けて履歴情報として順次記憶する記憶部と、表示画面上に各設定項目の設定内容を一覧表示する表示部と、画像形成条件の過去の設定内容を遡って表示することを指示するための読み出し指示部と、読み出し指示部からの指示に応じて、記憶部に記憶された履歴情報を読み出して、読み出した履歴情報に基づいて各設定項目の過去の設定内容を表示部に一覧表示させる制御部と、を備える。【選択図】図４
2008179111.tif 000002
【特許請求の範囲】
【請求項１】
画像を形成する際の画像形成条件を複数の設定項目別に設定する画像形成条件設定装置であって、
前記設定された設定内容を設定項目と対応付けて履歴情報として記憶する記憶部と、
表示画面上に前記各設定項目の設定内容を一覧表示する表示部と、
前記画像形成条件の過去の設定内容を遡って表示することを指示するための読み出し指示部と、
前記読み出し指示部からの指示に応じて、前記記憶部に記憶された履歴情報を読み出して、前記読み出した履歴情報に基づいて前記各設定項目の過去の設定内容を前記表示部に一覧表示させる制御部と、
を備えたことを特徴とする画像形成条件設定装置。
【請求項２】
前記制御部は、前記読み出した履歴情報の設定内容に基づいて前記各設定項目の過去の設定内容を前記表示部に一覧表示する際に、既に表示されている設定内容から変更のあった設定項目の設定内容を他の設定内容とは識別可能に表示させることを特徴とする請求項１に記載の画像形成条件設定装置。
【請求項３】
前記一覧表示された各設定項目の設定内容を前記画像形成条件として再設定することを指示するための再設定指示部を有し、
前記制御部は、前記再設定指示部からの指示に応じて、前記一覧表示された各設定項目の設定内容を画像形成条件として再設定することを特徴とする請求項１又は２に記載の画像形成条件設定装置。
【請求項４】
前記一覧表示された設定項目のうち何れかの設定内容の変更を入力するための設定変更入力部を備え、
前記制御部は、前記設定変更入力部から何れかの設定項目の設定内容の変更が入力された際に、前記一覧表示された設定内容の一部を前記設定変更入力部による入力に基づき変更した内容を前記画像形成条件として設定することを特徴とする請求項１又は２に記載の画像形成条件設定装置。
【請求項５】
ユーザ情報を入力するためのユーザ情報入力部を備え、
前記制御部は、前記ユーザ情報入力部により入力されたユーザ情報が許可されたユーザのものであるか否かを判断し、許可されたユーザである場合にのみ前記各設定項目の過去の設定内容を前記表示部に一覧表示させることを特徴とする請求項１〜４の何れか一項に記載の画像形成条件設定装置。
【請求項６】
前記画像形成条件の設定の履歴情報は、当該設定を行ったユーザのユーザ情報に対応付けて前記記憶部に記憶されており、
前記制御部は、前記記憶部から履歴情報を読み出す際に、前記ユーザ情報入力部から入力されたユーザ情報が対応付けられた履歴情報のみを読み出すことを特徴とする請求項５に記載の画像形成条件設定装置。
【請求項７】
請求項１〜６の何れか一項に記載の画像形成条件設定装置を備えたことを特徴とする画像形成装置。
【請求項８】
画像を形成する際の画像形成条件を複数の設定項目別に設定する画像形成条件設定方法であって、
前記設定された設定内容を設定項目と対応付けて履歴情報として記憶部に記憶する工程と、
前記画像形成条件の過去の設定内容を遡って表示することを指示入力する工程と、
前記指示入力に応じて、前記記憶部に記憶された履歴情報を読み出して、前記読み出した履歴情報に基づいて前記各設定項目の過去の設定内容を表示部に一覧表示させる工程と、
を含むことを特徴とする画像形成条件設定方法。
【請求項９】
前記読み出した履歴情報の設定内容に基づいて前記各設定項目の過去の設定内容を前記表示部に一覧表示させる際に、既に表示されている設定内容から変更のあった設定項目の設定内容を他の設定内容とは識別可能に表示させることを特徴とする請求項８に記載の画像形成条件設定方法。
【請求項１０】
前記一覧表示された各設定項目の設定内容を前記画像形成条件として再設定することを指示入力する工程と、
前記再設定の指示に応じて、前記一覧表示された各設定項目の設定内容を画像形成条件として再設定する工程と、
を含むことを特徴とする請求項８又は９に記載の画像形成条件設定方法。
【請求項１１】
前記一覧表示された設定項目のうち何れかの設定内容の変更を入力する工程と、
前記何れかの設定項目の設定内容の変更が入力された際に、前記一覧表示された設定内容の一部を前記入力に基づき変更した内容を前記画像形成条件として設定する工程と、
を含むことを特徴とする請求項８又は９に記載の画像形成条件設定方法。
【請求項１２】
ユーザ情報を入力する工程と、
前記入力されたユーザ情報が許可されたユーザのものであるか否かを判断し、許可されたユーザである場合にのみ、前記各設定項目の過去の設定内容を前記表示部に一覧表示させる工程と、
を含むことを特徴とする請求項８〜１１の何れか一項に記載の画像形成条件設定方法。
【請求項１３】
前記画像形成条件の設定の履歴情報は、当該設定を行ったユーザのユーザ情報に対応付けて前記記憶部に記憶され、
前記記憶部から履歴情報を読み出す際に、前記入力されたユーザ情報が対応付けられた履歴情報のみを読み出すことを特徴とする請求項１２に記載の画像形成条件設定方法。
【請求項１４】
画像を形成する際の画像形成条件を複数の設定項目別に設定する画像形成条件設定装置に用いられるコンピュータに、
前記設定された設定内容を設定項目と対応付けて履歴情報として記憶する機能と、
前記画像形成条件の過去の設定内容を遡って表示することを指示入力する機能と、
前記指示入力に応じて、前記記憶された履歴情報を読み出して、前記読み出した履歴情報に基づいて前記各設定項目の過去の設定内容を表示部に一覧表示させる機能と、
を実現させるためのプログラム。
【請求項１５】
前記コンピュータに、
前記読み出した履歴情報の設定内容に基づいて前記各設定項目の過去の設定内容を前記表示部に一覧表示する際に、既に表示されている設定内容から変更のあった設定項目の設定内容を他の設定内容とは識別可能に表示させる機能を実現させることを特徴とする請求項１４に記載のプログラム。
【請求項１６】
前記コンピュータに、
前記一覧表示された各設定項目の設定内容を前記画像形成条件として再設定することを指示入力する機能と、
前記再設定の指示に応じて、前記一覧表示された各設定項目の設定内容を画像形成条件として再設定する機能と、
を実現させることを特徴とする請求項１４又は１５に記載のプログラム。
【請求項１７】
前記コンピュータに、
前記一覧表示された設定項目のうち何れかの設定内容の変更を入力する機能と、
前記何れかの設定項目の設定内容の変更が入力された際に、前記一覧表示された設定内容の一部を前記入力に基づき変更した内容を前記画像形成条件として設定する機能と、
を実現させることを特徴とする請求項１４又は１５に記載のプログラム。
【請求項１８】
前記コンピュータに、
ユーザ情報を入力するための機能と、
前記入力されたユーザ情報が許可されたユーザのものである場合にのみ、前記各設定項目の過去の設定内容を前記表示部に一覧表示させる機能と、
を実現させることを特徴とする請求項１４〜１７の何れか一項に記載のプログラム。
【請求項１９】
前記コンピュータに、
前記画像形成条件の設定の履歴情報を当該設定を行ったユーザのユーザ情報に対応付けて記憶する機能と、
前記記憶された履歴情報を読み出す際に、前記入力されたユーザ情報が対応付けられた履歴情報のみを読み出す機能と、
を実現させることを特徴とする請求項１８に記載のプログラム。
【発明の詳細な説明】
【技術分野】
【０００１】
本発明は、画像を形成する際の画像形成条件を複数の設定項目別に設定する画像形成条件設定装置、当該画像形成条件設定装置を備えた画像形成装置、画像形成条件設定方法及びプログラムに関する。
【背景技術】
【０００２】
従来、ユーザによる機能設定の手間を省くための各種技術が提案されている。例えば、特許文献１には、ユーザにより記憶することが指示された一連の画像形成条件を記憶部に記憶しておき、記憶部に記憶されている複数組の画像形成条件の中から一組の画像形成条件を選択して次に画像形成する際の画像形成条件として設定することが可能な画像形成装置が記載されている。
【０００３】
また、特許文献２には、携帯電話機において、以前の設定状態に戻したい機能が選択されると、その機能の現在設定している内容を表示し、「Ｕｎｄｏキー」が押下されると、その機能において一つ前の設定内容を読み出して表示することや、過去にその機能で設定内容を変更した一覧をディスプレイに表示する技術が記載されている。
【特許文献１】特開平８−３００７７６号公報
【特許文献２】特開２００５−３５２８４５号公報
【発明の開示】
【発明が解決しようとする課題】
【０００４】
画像形成装置における画像形成条件は、例えば、用紙サイズ、画像の倍率、濃度、応用設定等、複数の設定項目が存在し、ユーザは、各設定項目について任意の順序で設定を行う。そのため、ユーザが過去に設定操作を行った設定内容を確認したり、再利用したりしたくなることもある。
【０００５】
しかしながら、従来の技術においては、ユーザが設定操作した内容を過去に遡って確認したり、過去における各設定項目の設定内容を一覧で確認したりすることができなかった。
【０００６】
即ち、特許文献１においては、ユーザにより指示された画像形成条件を記憶部に記憶しておき、ユーザの指示に応じて読み出すものであり、設定操作された内容を過去に遡って表示することはできない。
【０００７】
また、特許文献２においては、携帯電話機において、過去に設定操作された内容を読み出すことができるが、機能別に過去の設定内容を読み出すものであり、過去の各設定項目の設定内容を一度に確認したりすることはできない。
【０００８】
本発明の課題は、画像を形成する際の画像形成条件の設定内容を過去に遡って一覧表示し、ユーザの画像形成条件設定時における利便性を向上させることである。
【課題を解決するための手段】
【０００９】
上記課題を解決するため、請求項１に記載の発明は、
画像を形成する際の画像形成条件を複数の設定項目別に設定する画像形成条件設定装置であって、
前記設定された設定内容を設定項目と対応付けて履歴情報として記憶する記憶部と、
表示画面上に前記各設定項目の設定内容を一覧表示する表示部と、
前記画像形成条件の過去の設定内容を遡って表示することを指示するための読み出し指示部と、
前記読み出し指示部からの指示に応じて、前記記憶部に記憶された履歴情報を読み出して、前記読み出した履歴情報に基づいて前記各設定項目の過去の設定内容を前記表示部に一覧表示させる制御部と、
を備えたことを特徴としている。
【００１０】
請求項２に記載の発明は、請求項１に記載の発明において、
前記制御部は、前記読み出した履歴情報の設定内容に基づいて前記各設定項目の過去の設定内容を前記表示部に一覧表示する際に、既に表示されている設定内容から変更のあった設定項目の設定内容を他の設定内容とは識別可能に表示させることを特徴としている。
【００１１】
請求項３に記載の発明は、請求項１又は２に記載の発明において、
前記一覧表示された各設定項目の設定内容を前記画像形成条件として再設定することを指示するための再設定指示部を有し、
前記制御部は、前記再設定指示部からの指示に応じて、前記一覧表示された各設定項目の設定内容を画像形成条件として再設定することを特徴としている。
【００１２】
請求項４に記載の発明は、請求項１又は２に記載の発明において、
前記一覧表示された設定項目のうち何れかの設定内容の変更を入力するための設定変更入力部を備え、
前記制御部は、前記設定変更入力部から何れかの設定項目の設定内容の変更が入力された際に、前記一覧表示された設定内容の一部を前記設定変更入力部による入力に基づき変更した内容を前記画像形成条件として設定することを特徴としている。
【００１３】
請求項５に記載の発明は、請求項１〜４の何れか一項に記載の発明において、
ユーザ情報を入力するためのユーザ情報入力部を備え、
前記制御部は、前記ユーザ情報入力部により入力されたユーザ情報が許可されたユーザのものであるか否かを判断し、許可されたユーザである場合にのみ前記各設定項目の過去の設定内容を前記表示部に一覧表示させることを特徴としている。
【００１４】
請求項６に記載の発明は、請求項５に記載の発明において、
前記画像形成条件の設定の履歴情報は、当該設定を行ったユーザのユーザ情報に対応付けて前記記憶部に記憶されており、
前記制御部は、前記記憶部から履歴情報を読み出す際に、前記ユーザ情報入力部から入力されたユーザ情報が対応付けられた履歴情報のみを読み出すことを特徴としている。
【００１５】
請求項７に記載の発明の画像形成装置は、請求項１〜６の何れか一項に記載の画像形成条件設定装置を備えたことを特徴としている。
【００１６】
請求項８に記載の発明は、
画像を形成する際の画像形成条件を複数の設定項目別に設定する画像形成条件設定方法であって、
前記設定された設定内容を設定項目と対応付けて履歴情報として記憶部に記憶する工程と、
前記画像形成条件の過去の設定内容を遡って表示することを指示入力する工程と、
前記指示入力に応じて、前記記憶部に記憶された履歴情報を読み出して、前記読み出した履歴情報に基づいて前記各設定項目の過去の設定内容を表示部に一覧表示させる工程と、
を含むことを特徴としている。
【００１７】
請求項９に記載の発明は、請求項８に記載の発明において、
前記読み出した履歴情報の設定内容に基づいて前記各設定項目の過去の設定内容を前記表示部に一覧表示させる際に、既に表示されている設定内容から変更のあった設定項目の設定内容を他の設定内容とは識別可能に表示させることを特徴としている。
【００１８】
請求項１０に記載の発明は、請求項８又は９に記載の発明において、
前記一覧表示された各設定項目の設定内容を前記画像形成条件として再設定することを指示入力する工程と、
前記再設定の指示に応じて、前記一覧表示された各設定項目の設定内容を画像形成条件として再設定する工程と、
を含むことを特徴としている。
【００１９】
請求項１１に記載の発明は、請求項８又は９に記載の発明において、
前記一覧表示された設定項目のうち何れかの設定内容の変更を入力する工程と、
前記何れかの設定項目の設定内容の変更が入力された際に、前記一覧表示された設定内容の一部を前記入力に基づき変更した内容を前記画像形成条件として設定する工程と、
を含むことを特徴としている。
【００２０】
請求項１２に記載の発明は、請求項８〜１１の何れか一項に記載の発明において、
ユーザ情報を入力する工程と、
前記入力されたユーザ情報が許可されたユーザのものであるか否かを判断し、許可されたユーザである場合にのみ、前記各設定項目の過去の設定内容を前記表示部に一覧表示させる工程と、
を含むことを特徴としている。
【００２１】
請求項１３に記載の発明は、請求項１２に記載の発明において、
前記画像形成条件の設定の履歴情報は、当該設定を行ったユーザのユーザ情報に対応付けて前記記憶部に記憶され、
前記記憶部から履歴情報を読み出す際に、前記入力されたユーザ情報が対応付けられた履歴情報のみを読み出すことを特徴としている。
【００２２】
請求項１４に記載の発明は、
画像を形成する際の画像形成条件を複数の設定項目別に設定する画像形成条件設定装置に用いられるコンピュータに、
前記設定された設定内容を設定項目と対応付けて履歴情報として記憶する機能と、
前記画像形成条件の過去の設定内容を遡って表示することを指示入力する機能と、
前記指示入力に応じて、前記記憶された履歴情報を読み出して、前記読み出した履歴情報に基づいて前記各設定項目の過去の設定内容を表示部に一覧表示させる機能と、
を実現させるためのプログラムであることを特徴としている。
【００２３】
請求項１５に記載の発明は、請求項１４に記載の発明において、
前記コンピュータに、
前記読み出した履歴情報の設定内容に基づいて前記各設定項目の過去の設定内容を前記表示部に一覧表示する際に、既に表示されている設定内容から変更のあった設定項目の設定内容を他の設定内容とは識別可能に表示させる機能を実現させることを特徴としている。
【００２４】
請求項１６に記載の発明は、請求項１４又は１５に記載の発明において、
前記コンピュータに、
前記一覧表示された各設定項目の設定内容を前記画像形成条件として再設定することを指示入力する機能と、
前記再設定の指示に応じて、前記一覧表示された各設定項目の設定内容を画像形成条件として再設定する機能と、
を実現させることを特徴としている。
【００２５】
請求項１７に記載の発明は、請求項１４又は１５に記載の発明において、
前記コンピュータに、
前記一覧表示された設定項目のうち何れかの設定内容の変更を入力する機能と、
前記何れかの設定項目の設定内容の変更が入力された際に、前記一覧表示された設定内容の一部を前記入力に基づき変更した内容を前記画像形成条件として設定する機能と、
を実現させることを特徴としている。
【００２６】
請求項１８に記載の発明は、請求項１４〜１７の何れか一項に記載の発明において、
前記コンピュータに、
ユーザ情報を入力するための機能と、
前記入力されたユーザ情報が許可されたユーザのものである場合にのみ、前記各設定項目の過去の設定内容を前記表示部に一覧表示させる機能と、
を実現させることを特徴としている。
【００２７】
請求項１９に記載の発明は、請求項１８に記載の発明において、
前記コンピュータに、
前記画像形成条件の設定の履歴情報を当該設定を行ったユーザのユーザ情報に対応付けて記憶する機能と、
前記記憶された履歴情報を読み出す際に、前記入力されたユーザ情報が対応付けられた履歴情報のみを読み出す機能と、
を実現させることを特徴としている。
【発明の効果】
【００２８】
請求項１、７、８、１４に記載の発明によれば、ユーザは、画像形成条件の各設定項目の過去の設定内容を一覧で確認することが可能となり、ユーザの画像形成条件設定時における利便性を向上させることができる。
【００２９】
請求項２、７、９、１５に記載の発明によれば、どの設定項目の内容が過去に設定変更されたかをユーザが認識することが可能となる。
【００３０】
請求項３、７、１０、１６に記載の発明によれば、一覧表示された過去の各項目の設定内容を現在の画像形成条件として再利用することが可能となり、利便性が向上する。
【００３１】
請求項４、７、１１、１７に記載の発明によれば、過去に設定された画像形成条件のうちの一部の項目のみを変えた設定を簡単な操作で行うことが可能となり、利便性が向上する。
【００３２】
請求項５、７、１２、１８に記載の発明によれば、許可されたユーザのみが過去の設定内容を確認することが可能となる。
【００３３】
請求項６、７、１３、１９に記載の発明によれば、ユーザは、過去に自分が設定した各設定項目の設定内容を一覧で確認することが可能となる。
【発明を実施するための最良の形態】
【００３４】
以下、図を参照して、本発明の実施の形態を詳細に説明する。
まず、本発明に係る画像形成装置１の構成について説明する。画像形成装置１としては、複写機、プリンタ、ＦＡＸ、複合機等を適用可能である。本実施の形態においては、電子写真プロセスを用いた複合機を適用した場合を例にとり説明するが、これに限定されるものではない。
【００３５】
図１に、本発明に係る画像形成装置１の機能構成例を示す。図１に示すように、画像形成装置１は、制御部１０、操作部１１、記憶部１２、画像読取部１３、画像処理部１４、画像形成部１５、通信制御部１６、後処理部１７、計時部１８等を備えて構成され、各部はバス１９を介して接続されている。制御部１０、操作部１１及び記憶部１２は、画像形成条件設定装置１０１を構成するものである。
【００３６】
制御部１０は、ＣＰＵ（Central Processing Unit）、ＲＯＭ（Read Only Memory）、ＲＡＭ等により構成される。制御部１０のＣＰＵは、操作部１１の操作等に応じて、ＲＯＭに格納されているシステムプログラム、全体制御プログラムを読み出してＲＡＭ内に展開し、展開されたプログラムに従って、画像形成装置１各部の動作を集中制御する。また、制御部１０のＣＰＵは、ＲＯＭに格納されている画像形成条件設定処理プログラムを読み出してＲＡＭ内に展開し、展開されたプログラムに従って、後述する画像形成条件設定処理を実行する。
【００３７】
操作部１１は、図２に示すように、タッチパネル１１ａ、ハードキー１１ｂ、ＬＣＤ（Liquid Crystal Display）１１ｃを備えて構成されている。タッチパネル１１ａは、ＬＣＤ１１ｃの表示画面上に透明電極を格子状に配置した感圧式（抵抗膜圧式）のタッチパネルであり、手指やタッチペン等で押下された力点のＸＹ座標を電圧値で検出し、検出された位置信号を操作信号として制御部１０に出力する。ハードキー１１ｂは、電源キーＢ１、テンキーＢ２、スタートキーＢ３等の各種操作キーを備え、キー操作による操作信号を制御部１０に出力する。ＬＣＤ１１ｃは、制御部１０から入力される表示信号の指示に従って表示画面上に各種画像形成条件を設定するための設定画面や装置の状態表示等の表示を行う。
【００３８】
本実施の形態において、操作部１１のＬＣＤ１１ｃは、画像形成条件（画像処理部１４、画像形成部１５、後処理部１７における各種処理条件）を設定するための設定画面として、通常設定画面１１０、履歴読み出し画面１１２を表示する。
【００３９】
図３（ａ）に、通常設定画面１１０の一例を示す。図３（ａ）に示すように、通常設定画面１１０には、画像形成条件に関する設定項目毎に、設定項目名（例えば、応用、濃度、倍率、サイズ選択）及びその設定項目の現在の設定内容（例えば、２ｉｎ１、+２、×１、Ａ４）が表示された現在設定一覧表示欄１１０ａが表示されている。当該現在設定一覧表示欄１１０ａから何れかの設定項目名が押下されると、押下された設定項目の内容を変更するための設定変更画面１１１が表示される。図３（ｂ）に、図３（ａ）の「応用」の項目が押下された際に表示される設定変更画面１１１の一例を示す。当該画面から「応用」項目として設定したい内容が表示された操作ボタン１１１ａ〜１１１ｄの何れかが押下され、次いで「ＯＫ」ボタン１１１ｅが押下されると、設定変更画面１１１により設定された内容が制御部１０により画像形成条件として設定される。即ち、設定された項目、内容、日時が制御部１０により記憶部１２の操作履歴ファイル１２１に記憶される。
また、通常設定画面１１０には、「履歴読み出し」ボタン１１０ｂが表示されている。「履歴読み出し」ボタン１１０ｂは、ＬＣＤ１１ｃの表示画面上に履歴読み出し画面１１２を表示する指示を入力するためのボタンである。当該「履歴読み出し」ボタン１１０ｂが押下されると、ＬＣＤ１１ｃに履歴読み出し画面１１２が表示される。
【００４０】
図４（ａ）〜（ｃ）に、履歴読み出し画面１１２の一例を示す。図４（ａ）に示すように、履歴読み出し画面１１２には、画像形成条件に関する設定項目毎に、設定項目名（例えば、応用、濃度、倍率、サイズ選択）及びその設定項目の現在の設定内容（例えば、２ｉｎ１、+２、×１、Ａ４）が表示された過去設定一覧表示欄１１２ａが表示されている。各設定項目の現在の設定内容は、即ち、各設定項目の過去における最新の設定内容である。
【００４１】
履歴読み出し画面１１２には、ジョグダイヤルＤ１が表示されている。ジョグダイヤルＤ１は、画像形成条件の過去の設定内容を遡って表示する指示を入力するための読み出し指示部である。このジョグダイヤルＤ１の回転操作に応じて、制御部１０により順次操作履歴ファイル１２１（図７参照）の各設定項目の設定内容（履歴情報）が読み出され、過去設定一覧表示欄１１２ａに表示される。具体的には、ジョグダイヤルＤ１の所定角度αの回転操作毎に制御部１０により１つ前の履歴情報が操作履歴ファイル１２１から読み出され、読み出された履歴情報に基づいて、過去設定一覧表示欄１１２ａが表示される。ジョグダイヤルＤ１の上方には、巻き戻し数表示領域１１２ｂが設けられ、現在の設定内容からいくつ前の設定内容を当該画面上に表示しているかを示す数（以下、巻き戻し数という。）が表示されている。これにより、ユーザが現在表示されている設定内容が何回前の設定操作で設定されたものかを確認することができるようになっている。
【００４２】
図４に、ジョグダイヤルＤ１の回転操作時の履歴読み出し画面１１２の表示内容の変遷を示す。図４（ａ）においては、巻き戻し数は０であり、各設定項目における現在の（最新の）設定内容が表示されている。当該画面において、「濃度」項目の「＋２」が網掛け表示されているが、これは、最終の設定操作により「濃度」項目の「＋２」が設定されたことを示している。図４（ａ）において、ジョグダイヤルＤ１が反時計回りに所定角度αだけ回転操作されると、制御部１０の制御により、巻き戻し数表示領域１１２ｂの表示が−１に変更され、１つ前の履歴情報が操作履歴ファイル１２１から読み出され、一つ前の設定操作の時点での各項目の設定内容が過去設定一覧表示欄１１２ａに表示される。例えば、１つ前の操作により「濃度」が−１に設定された場合、図４（ｂ）に示すように、「濃度」項目の設定内容が「−１」に変更表示される。このとき、変更された内容を示す部分の色が網掛け表示され、どの設定項目の内容が１つ前の設定操作で設定されたかをユーザが容易に識別できるようになっている。更に、ジョグダイヤルＤ１が所定角度αだけ回転操作されると、制御部１０の制御により、巻き戻し数表示領域１１２ｂの表示が−２に変更され、更に一つ前の履歴情報が操作履歴ファイル１２１から読み出され、現在から２つ前の設定操作の時点での各項目の設定内容が過去設定一覧表示欄１１２ａに表示される。例えば、現在から２つ前の操作により「応用」が２ｉｎ１に設定された場合、図４（ｃ）に示すように、「応用」項目の設定内容が網掛け表示される。なお、このときの設定は、現在の「応用」項目の設定内容と変わらないものであるため、「応用」項目の設定内容は変更表示されない。
【００４３】
履歴読み出し画面１１２において、何れかの設定項目が押下されると、制御部１０によりＬＣＤ１１ｃに当該設定項目の内容の設定変更を入力するための設定変更入力部としての設定変更画面１１３（図４（ｄ）参照）が表示され、履歴読み出し画面１１２において押下された設定項目についての設定内容の変更が可能となっている。例えば、図４（ｄ）に示す「応用」項目の設定変更画面１１３から「４ｉｎ１」を示す操作ボタン１１３ｂが押下され「ＯＫ」ボタン１１３ｅが押下されると、制御部１０により「応用」項目が「４ｉｎ１」に設定される。即ち、操作履歴ファイル１２１に最新の設定操作の履歴情報として「応用」項目の「４ｉｎ１」への設定が記憶される。
【００４４】
また、本実施の形態においては、上述の各設定項目の設定変更画面１１３から「ＯＫ」ボタン１１３ｅが押下されると、制御部１０により、設定変更画面１１３の表示前の履歴読み出し画面１１２が再度表示され、更に、履歴読み出し画面１１２上に問い合わせ画面１１４がポップアップ表示される。問い合わせ画面１１４は、設定変更画面１１３から設定内容が入力された項目以外の他の項目について、表示された設定内容を設定するか否かを問い合わせる画面である。
【００４５】
図５に、問い合わせ画面１１４の一例を示す。当該問い合わせ画面１１４には、「これ以降の設定を読み出した設定に変更しますか」というメッセージと、履歴読み出し画面１１２の過去設定一覧表示欄１１２ａに表示された設定内容のうち設定内容の変更が入力されていない他の項目を現在一覧表示されている設定内容に設定することを指示入力するための「はい」ボタン１１４ａと、設定変更が入力された設定項目の内容のみを入力に基づき設定変更することを指示するための「いいえ」ボタン１１４ｂとが表示されている。
【００４６】
当該画面１１４から「はい」ボタン１１４ａが押下されると、制御部１０により、履歴読み出し画面１１２の過去設定一覧表示欄１１２ａに表示された設定内容のうち設定変更が入力された設定項目の内容を入力に基づき変更した内容が新たな画像形成条件として設定される。即ち、設定変更画面１１３から設定変更が入力された設定項目、設定内容及び現在の日時が操作履歴ファイル１２１に最新の設定操作の履歴情報として記憶されるとともに、今回設定変更が入力されなかった他の設定項目の設定内容が現在一覧表示されている設定内容に同時に設定変更されたものとして操作履歴ファイル１２１に記憶される。そして、設定結果が履歴読み出し画面１１２の過去設定一覧表示欄１１２ａに表示される。このとき、ジョグダイヤルＤ１は初期位置に戻り、巻き戻し数表示領域１１２ｂが０に変更される。図６（ａ）に、図４（ａ）〜（ｄ）に示す操作が行われて「応用」項目の設定内容が「４ｉｎ１」に変更入力され、「はい」ボタン１１４ａが押下された後に表示される履歴読み出し画面１１２の表示例を示す。  
【００４７】
当該画面１１４から「いいえ」ボタン１１４ｂが押下されると、制御部１０により、設定変更が入力された設定項目の内容のみが新たに変更された画像形成条件として設定される。即ち、設定変更画面１１３から設定変更が入力された設定項目、設定内容及び現在の日時が操作履歴ファイル１２１に最新の設定操作の履歴情報として記憶される。そして、設定結果が履歴読み出し画面１１２の過去設定一覧表示欄１１２ａに表示される。このとき、ジョグダイヤルＤ１は初期位置に戻り、巻き戻し数表示領域１１２ｂが０に変更される。図６（ｂ）に、図４（ａ）〜（ｄ）に示す操作が行われて「応用」項目の設定内容が「４ｉｎ１」に変更入力され、「いいえ」ボタン１１４ｂが押下された後に表示される履歴読み出し画面１１２の表示例を示す。  
【００４８】
なお、読み出し指示部としてのジョグダイヤルＤ１は、ここでは、ＬＣＤ１１ｃ上に表示され、タッチパネル１１ａによりその操作信号を制御部１０に出力する、所謂ソフトキーとしたが、ハードキー１１ｂにより構成されるジョグダイヤルを備える構成としてもよい。また、読み出し指示部としては、ジョグダイヤルに限らず、例えば、スクロールバー等を用いるようにしてもよい。
【００４９】
記憶部１２は、不揮発性の半導体メモリ等により構成され、各種データを記憶する。例えば、記憶部１２は、操作部１１における画像形成条件に関する設定操作の履歴情報を格納するための操作履歴ファイル１２１を記憶している。
図７に、操作履歴ファイル１２１のデータ格納例を示す。図７に示すように、操作履歴ファイル１２１は、操作部１１において画像形成条件に関する設定の設定操作が行われた際に、設定された順序を示す設定ＮＯ．、設定項目、設定内容、設定日時を対応付けて記憶する。設定ＮＯ．は、時系列順に付与されるものであれば昇順であっても降順であってもよい。
【００５０】
例えば、操作履歴ファイル１２１の内容が図７（ａ）に示す状態となっているとき、履歴読み出し画面１１２の巻き戻し数０においては、図４（ａ）に示す内容が過去設定一覧表示欄１１２ａに表示される。ジョグダイヤルＤ１等を操作して図４（ａ）〜（ｄ）に示す操作により「応用」項目の設定内容が「４ｉｎ１」に変更されると、当該設定操作の内容が図７（ｂ）に示すように、最新の履歴情報として記憶される。
【００５１】
画像読取部１３は、原稿を載置するコンタクトガラスの下部にスキャナを備えて構成され、原稿の画像を読み取る。スキャナは、光源、ＣＣＤ（Charge Coupled Device）等に
より構成され、光源から原稿へ照明走査した光の反射光を結像して光電変換することにより原稿の画像を読み取り、読み取った画像をＡ／Ｄ変換器によりデジタル画像データに変換して画像処理部１４に出力する。
【００５２】
画像処理部１４は、画像読取部１３から入力された画像データに空間フィルタ処理、拡大／縮小処理、階調補正処理、濃度補正処理等の画像処理を施して画像形成部１５に出力する。また、通信制御部１６から入力された印刷データを画像形成部１５で処理可能な形式の画像データに変換し、変換後の画像データを画像形成部１５に出力する。
【００５３】
画像形成部１５は、パルス幅変調器、レーザ光源、感光ドラム、帯電器、現像器、給紙部、排紙部、定着装置等を備えて構成されており、画像処理部１４から入力された画像データをパルス幅変調器によりパルス幅変調してレーザ光を発光させ、帯電器により帯電された感光ドラム表面にレーザ光を照射することにより静電潜像を形成する。更に、画像形成部１５は、操作部１１において設定されたサイズの記録媒体を給紙部から搬送し、感光ドラム表面の静電潜像を含む領域に現像器によりトナーを付着させ、搬送された記録媒体にトナーを転写して定着させた後、排紙部から排出する。
【００５４】
通信制御部１６は、ＬＡＮ（Local Area Network）、ＷＡＮ（Wide Area Network）等
の通信ネットワークに接続された伝送媒体に接続可能なインターフェースである。通信制御部１６は、例えばＬＡＮカード等の通信制御カードにより構成され、ＬＡＮケーブル等の通信回線を介して通信ネットワークに接続されたホストコンピュータ２（図９参照）等の外部の装置との間で制御信号、印刷データを始めとする各種データの送受信を行う。
【００５５】
後処理部１７は、制御部１０からの制御信号に基づいて、画像形成された記録媒体のステープル処理、パンチ孔開け処理、ソート処理などを行う。
【００５６】
計時部１８は、ＲＴＣ（Real Time Clock）により構成され、現在の日時を計時して制御部１０に出力する。
【００５７】
ホストコンピュータ２は、キーボード、マウス等により構成される操作部、ＬＣＤ等により構成される表示部、ホストコンピュータ２を通信ネットワークに接続するための通信制御部、印刷対象のデータが記憶された記憶部等を備えた端末装置である。ホストコンピュータ２は、操作部を介して画像形成装置１における画像形成条件、プリント対象のデータ（印刷データ）及びプリント指示が入力されると、通信制御部を介して画像形成装置１に送信する。
【００５８】
次に、本実施の形態の動作について説明する。
図８に、制御部１０により実行される画像形成条件設定処理を示す。当該処理は、制御部１０のＣＰＵとＲＯＭに記憶された画像形成条件設定処理プログラムとの協働によるソフトウエア処理により実現される処理である。
【００５９】
ＬＣＤ１１ｃの表示画面上に通常設定画面１１０が表示されると（ステップＳ１）、「履歴読み出し」ボタン１１０ｂが押下されたか否かが判断され、「履歴読み出し」ボタン１１０ｂが押下されると（ステップＳ２；ＹＥＳ）、フラグが１に設定され（ステップＳ３）、操作履歴ファイル１２１から各設定項目における現在の設定内容が読み出され（ステップＳ４）、読み出された内容を過去設定一覧表示欄１１２ａに一覧表示した履歴読み出し画面１１２（図４参照）が表示される（ステップＳ５）。
【００６０】
次いで、ジョグダイヤルＤ１が操作されたか否かが判断され、ジョグダイヤルＤ１が操作されていないと判断されると（ステップＳ６；ＮＯ）、履歴読み出し画面１１２を表示してから所定時間が経過したか否か（タイムアウトか否か）が判断され、所定時間が経過していないと判断されると（ステップＳ７；ＮＯ）、処理はステップＳ６に戻る。履歴読み出し画面１１２を表示してから所定時間が経過した、即ちタイムアウトしたと判断されると（ステップＳ７；ＹＥＳ）、フラグが０に設定され（ステップＳ８）、処理はステップＳ１に戻る。
【００６１】
一方、ジョグダイヤルＤ１が操作されたと判断されると（ステップＳ６；ＹＥＳ）、ジョグダイヤルＤ１が回転操作された角度に応じて巻き戻し数表示領域１１２ｂの表示が変更されるとともに、ジョグダイヤルＤ１が回転操作された角度に応じて、操作履歴ファイル１２１から順次履歴情報が読み出され、過去設定一覧表示欄１１２ａに順次表示（網掛け表示）される（ステップＳ９）。
【００６２】
次いで、過去設定一覧表示欄１１２ａの何れかの設定項目が押下され、押下された設定項目について設定変更画面１１３から設定内容の変更が入力されたか否かが判断され、設定内容の変更が入力されていないと判断されると（ステップＳ１０；ＮＯ）、処理はステップＳ６に戻る。過去設定一覧表示欄１１２ａの何れかの設定項目が押下され、押下された設定項目について設定変更画面１１３から設定内容の変更が入力されたと判断されると（ステップＳ１０；ＹＥＳ）、設定変更画面１１３の表示前の履歴読み出し画面１１２がＬＣＤ１１ｃに表示され、履歴読み出し画面１１２上に問い合わせ画面（図５参照）がポップアップ表示される（ステップＳ１１）。
【００６３】
問い合わせ画面１１４から「はい」ボタン１１４ａが押下され、設定内容の変更が入力されていない他の項目を現在一覧表示されている設定内容に設定することが指示入力されると（ステップＳ１２；ＹＥＳ）、ステップＳ１０で設定内容の変更が入力された設定項目、設定内容、設定日時（現在日時）、設定順序を示す設定ＮＯ．が操作履歴ファイル１２１に履歴情報として記憶され、更に、設定内容の変更が入力されていない他の設定項目について、設定項目、読み出されている設定内容、設定日時（現在日時）、設定順序を示す設定ＮＯ．（ステップＳ１０で設定変更された履歴情報と同じ設定ＮＯ．）が操作履歴ファイル１２１に履歴情報として記憶される（ステップＳ１３）。そして、過去設定一覧表示欄１１２ａに各設定項目における最新の設定内容が表示されるとともに、ジョグダイヤルＤ１が初期位置に、巻き戻し数が０に変更されて表示され（ステップＳ１５）、処理はステップＳ１８に移行する。これにより、過去のある設定において、所望する設定項目の内容のみを変更した設定を簡単に行うことが可能となり、各設定項目についてそれぞれ再度設定し直すといった手間が省略でき、利便性が向上する。
【００６４】
一方、問い合わせ画面１１４から「いいえ」ボタン１１４ｂが押下され、ステップＳ１０で設定変更が入力された項目のみを入力に基づき設定することが指示されると（ステップＳ１２；ＮＯ）、ステップＳ１０で設定内容の変更が入力された設定項目、設定内容、設定日時、設定された順序を示す設定ＮＯ．が操作履歴ファイル１２１に履歴情報として記憶される（ステップＳ１４）。そして、過去設定一覧表示欄１１２ａに各設定項目における最新の設定内容が表示されるとともに、ジョグダイヤルＤ１が初期位置に、巻き戻し数が０に変更されて表示され（ステップＳ１５）、処理はステップＳ１８に移行する。
【００６５】
一方、ステップＳ２において、「履歴読み出し」ボタン１１０ｂが押下されていないと判断されると（ステップＳ２；ＮＯ）、通常設定画面１１０の現在設定一覧表示欄１１０ａの何れかの設定項目が押下され、押下された設定項目について設定変更画面１１１から設定内容の変更が入力されたか否かが判断され、設定内容の変更が入力されていないと判断されると（ステップＳ１６；ＮＯ）、処理はステップＳ１８に移行する。設定内容の変更が入力されたと判断されると（ステップＳ１６；ＹＥＳ）、ステップＳ１７で設定変更された設定項目、設定内容、設定日時、設定された順序を示す設定ＮＯ．が操作履歴ファイル１２１に履歴情報として記憶され（ステップＳ１７）、処理はステップＳ１８に移行する。
【００６６】
ステップＳ１８においては、スタートボタンＢ３が押下されたか否かが判断され、押下されていないと判断されると（ステップＳ１８；ＮＯ）、フラグが参照され、フラグに１が設定されている場合（ステップＳ１９；ＹＥＳ）、処理はステップＳ６に戻る。フラグに０が設定されている場合（ステップＳ１９；ＮＯ）、処理はステップＳ１に戻る。
【００６７】
一方、スタートボタンＢ３が押下されたと判断されると（ステップＳ１８；ＹＥＳ）、画像読取部１３、画像処理部１４及び画像形成部１５に設定された画像形成条件及び動作指示が出力され、画像読取部１３における原稿の読み取り及び画像形成部１５における読み取られた原稿画像の記録媒体へのプリントが実行される（ステップＳ２０）。プリント実行が終了すると、フラグが０にリセットされ（ステップＳ２１）、本処理は終了する。
【００６８】
以上説明したように、画像形成装置１の画像形成条件設定装置１０１によれば、画像形成条件に関する設定を行うための通常設定画面１１０に「履歴読み出し」ボタン１１０ｂが表示され、この「履歴読み出し」ボタン１１０ｂが押下されると、ＬＣＤ１１ｃにジョグダイヤルＤ１が表示された履歴読み出し画面１１２が表示される。当該画面からジョグダイヤルＤ１が回転操作されると、その回転角度に応じて、過去の各設定項目の設定内容が順次操作履歴ファイル１２１から読み出されて過去設定一覧表示欄１１２ａに表示される。
【００６９】
従って、ジョグダイヤルを回転させるという簡単な操作で、過去の各設定項目の設定状態を遡って読み出して表示させることができるので、ユーザは、過去の各設定項目の設定内容を一覧で確認することが可能となる。
【００７０】
また、過去設定一覧表示欄１１２ａから何れかの設定項目が押下され、その設定項目について設定内容の変更が入力された場合、問い合わせ画面１１４が表示され、設定内容が入力された設定項目以外の他の設定項目について現在一覧表示されている設定内容により設定を変更するか、又は、設定内容の変更が入力された設定項目のみを設定変更するかをユーザが選択することが可能となる。前者が指示されると、設定変更が入力された設定項目、設定内容、設定日時（現在日時）、設定順序を示す設定ＮＯ．が操作履歴ファイル１２１に履歴情報として記憶されるとともに、設定変更されていない他の設定項目について、設定項目、読み出されている設定内容、設定日時（現在日時）、設定順序を示す設定ＮＯ．（設定変更された履歴情報と同じ設定ＮＯ．）が操作履歴ファイル１２１に履歴情報として記憶される。後者が指示されると、設定変更された設定項目、設定内容、設定日時、設定された順序を示す設定ＮＯ．が操作履歴ファイル１２１に履歴情報として記憶される。
【００７１】
従って、読み出されて一覧表示された過去における設定内容のうち、所望の設定項目の設定内容のみを変更し、その他はその時点の設定内容のままの内容で再設定することができるので、過去に設定された画像形成条件のうちの一部のみを変えた設定を簡単な操作で行うことが可能となり、利便性が向上する。
【００７２】
なお、上記実施の形態における記述内容は、本発明に係る画像形成装置１、画像形成条件設定装置１０１の好適な一例であり、これに限定されるものではない。以下、本実施の形態の変形例１〜４について説明する。
【００７３】
（変形例１）
変形例１において、記憶部１２は、図示しないが、ユーザ情報ファイルを有している。ユーザ情報ファイルは、履歴読み出し画面１１２における操作を許可されたユーザのユーザ情報（ユーザＩＤ及びそのユーザの認証情報（例えば、パスワード））を記憶している。
【００７４】
変形例１においては、図８のステップＳ２において、履歴読み出し画面１１２の表示が指示されると、ＬＣＤ１１ｃにユーザ認証画面が表示される。ユーザ認証画面は、ユーザ情報（ユーザＩＤ及びパスワード）をユーザが入力するための画面、即ち、ユーザ情報入力部である。当該ユーザ認証画面からユーザＩＤ及びパスワードが入力されると、記憶部１２のユーザ認証ファイルが参照され、入力されたユーザＩＤ及びパスワードに一致している情報が存在するか否かが判断される。入力されたユーザＩＤ及びパスワードに一致しているユーザ情報がユーザ認証ファイルに存在すると判断されると、操作しているユーザが認証され、ステップＳ３に移行し、以降の処理が実行される。入力されたユーザＩＤ及びパスワードに一致しているユーザ情報がユーザ認証ファイルに存在しないと判断されると、ＬＣＤ１１ｃにエラーメッセージが表示され、処理はステップＳ１に戻る。
【００７５】
上述の変形例１によれば、履歴読み出し画面１１２の使用を許可されたユーザのみに制限することが可能となる。
【００７６】
なお、画像形成装置１が指紋情報等の生体情報の入力装置を備え、ユーザ情報ファイルにユーザＩＤと生体情報を対応付けて記憶しておく構成とし、生体情報を用いてユーザ認証を行う構成としてもよい。生体情報としては、例えば、指紋情報、手のひら静脈情報、網膜情報、虹彩情報、声紋情報等を用いることができる。
【００７７】
（変形例２）
変形例２において、記憶部１２は、変形例１と同様に図示しないユーザ情報ファイルを有している。ユーザ情報ファイルは、履歴読み出し画面１１２における操作を許可されたユーザのユーザ情報（ユーザＩＤ及びそのユーザの認証情報（例えば、パスワード））を記憶している。
【００７８】
また、操作履歴ファイル１２１は、操作部１１において画像形成条件に関する設定の設定操作が行われた際に、設定された順序を示す設定ＮＯ．、設定項目、設定内容、設定日時、設定操作を行ったユーザのユーザＩＤを対応付けて記憶している。
【００７９】
本変形例の動作は、履歴読み出し画面１１２の表示が指示されたと判断された際に、ＬＣＤ１１ｃにユーザ認証画面が表示され、ユーザ認証が行われる点は変形例と同様である。本変形例においては、履歴読み出し画面１１２に読み出す履歴情報を操作しているユーザの履歴情報のみとする点で、変形例１と異なる。
【００８０】
ここで、変形例２の動作について、変形例１と異なる点を説明する。
図８のステップＳ４においては、入力されたユーザＩＤと一致するユーザＩＤが対応付けられた履歴情報が操作履歴ファイル１２１から抽出され、各設定項目における現在の設定内容が抽出された履歴情報から取得される。また、ステップＳ６においてジョグダイヤルＤ１が押下されたと判断されると、ステップＳ９において、ジョグダイヤルＤ１の回転角度に応じて巻き戻し数表示領域１１２ｂの表示が変更されるとともに、抽出された履歴情報、即ち、入力されたユーザＩＤと一致するユーザＩＤが対応付けられた履歴情報の中から回転角度に応じて履歴情報が読み出され、過去設定一覧表示欄１１２ａに表示（網掛け表示）される。
【００８１】
変形例２によれば、ユーザは、ジョグダイヤルを回転させるという簡単な操作で、過去に自分が設定した各項目の設定状態を遡って読み出して表示させることができるので、ユーザは、過去に自分が設定した各設定項目の設定内容を一覧で確認することが可能となる。また、過去に自分が設定した画像形成条件のうちの一部のみを変えた設定を簡単な操作で行うことが可能となり、利便性が向上する。
【００８２】
（変形例３）
変形例３は、図９に示すように画像形成装置１とホストコンピュータ２が通信ネットワークＮを介して接続されたシステム構成において、本発明に係る画像形成条件設定装置１０１の構成をホストコンピュータ２側にも適用したものである。このように、ホストコンピュータ２側にも画像形成条件設定装置１０１の構成を設け、画像形成装置１にプリント指示をする際の画像形成条件の設定操作の履歴情報をホストコンピュータ２の記憶部（ＨＤＤ等）に記憶しておくとともに、ジョグダイヤルの操作に応じて過去の設定操作の履歴を読み出す履歴読み出し画面をホストコンピュータ２の表示部に表示させるようにすれば、ホストコンピュータ２における画像設定条件の設定操作が容易となる。なお、ホストコンピュータ２における操作履歴は、上述のようにホストコンピュータ２に記憶するようにしてもよいし、画像形成装置１において記憶しておき、ホストコンピュータ２において画像形成条件を設定する際にその都度画像形成装置１から読み出すようにしてもよい。
【００８３】
（変形例４）
変形例４においては、図１０に示すように、履歴読み出し画面１１２に、「再設定」ボタン１１２ｃが表示されている。「再設定」ボタン１１２ｃは、過去設定一覧表示欄１１２ａに表示された各設定項目の設定内容を画像形成条件として一括して再設定する指示を入力するための再設定指示部である。
履歴読み出し画面１１２から「再設定」ボタン１１２ｃが押下され、再設定指示が入力されると、制御部１０により過去設定一覧表示欄１１２ａに表示された各設定項目の設定内容が画像形成条件として再設定される。即ち、各設定項目について、現在読み出されている設定内容、設定項目、設定日時（現在日時）、設定順序を示す設定ＮＯ．が操作履歴ファイル１２１に最新の履歴情報として記憶される。
【００８４】
変形例４によれば、過去の設定内容を読み出して再利用することが可能となる。
【００８５】
以上、本実施の形態及びその変形例１〜４について説明したが、その他、画像形成装置１を構成する各装置の細部構成及び細部動作に関しても、本発明の趣旨を逸脱することのない範囲で適宜変更可能である。
【図面の簡単な説明】
【００８６】
【図１】本発明に係る画像形成装置１の機能的構成を示すブロック図である。
【図２】図１の操作部１１の構成例を示す図である。
【図３】（ａ）は、図１のＬＣＤ１１ｃに表示される通常設定画面１１０の一例を示す図、（ｂ）は、通常設定画面１１０に表示された「応用」項目が押下された際に表示される設定変更画面１１１を示す図である。
【図４】（ａ）は、通常設定画面１１０の「履歴読み出し」ボタン１１０ｂが押下された際に、ＬＣＤ１１ｃに表示される履歴読み出し画面１１２の一例を示す図、（ｂ）は、（ａ）の履歴読み出し画面１１２からジョグダイヤルＤ１が所定角度α操作された後に表示される履歴読み出し画面１１２の一例を示す図、（ｃ）は、（ｂ）の履歴読み出し画面１１２からジョグダイヤルＤ１が所定角度α操作された後に表示される履歴読み出し画面１１２の一例を示す図、（ｄ）は、（ｃ）の履歴読み出し画面１１２から「応用」項目が押下された際に表示される設定変更画面１１３の一例を示す図である。
【図５】図１のＬＣＤ１１ｃに表示される問い合わせ画面１１４の一例を示す図である。
【図６】（ａ）は、図４（ａ）〜（ｄ）に表示された操作を行った後、図５の問い合わせ画面１１４から「はい」ボタン１１４ａが押下された際に表示される履歴読み出し画面１１２の一例を示す図、（ｂ）は、図４（ａ）〜（ｄ）に表示された操作を行った後、図５の問い合わせ画面１１４から「いいえ」ボタン１１４ｂが押下された際に表示される履歴読み出し画面１１２の一例を示す図である。
【図７】図１の記憶部１２に記憶される操作履歴ファイル１２１のデータ格納例を示す図である。
【図８】図１の制御部１０により実行される画像形成条件設定処理を示すフローチャートである。
【図９】実施の形態の変形例３の構成を示す図である。
【図１０】実施の形態の変形例４における履歴読み出し画面１１２の一例を示す図である。
【符号の説明】
【００８７】
１  画像形成装置
１０  制御部
１１  操作部
１１ａ  タッチパネル
１１ｂ  ハードキー
１１ｃ  ＬＣＤ
１１０  通常設定画面
１１０ａ  現在設定一覧表示欄
１１０ｂ  「履歴読み出し」ボタン
１１１  設定変更画面
１１２  履歴読み出し画面
１１２ａ  過去設定一覧表示欄
１１２ｂ  巻き戻し数表示領域  
１１３  設定変更画面
１１４  問い合わせ画面
１１４ａ  「はい」ボタン
１１４ｂ  「いいえ」ボタン
１２  記憶部
１２１  操作履歴ファイル
１３  画像読取部
１４  画像処理部
１５  画像形成部
１６  通信制御部
１７  後処理部
１８  計時部
１９  バス
Ｄ１  ジョグダイヤル
【図１】
2008179111.tif 000003
【図２】
2008179111.tif 000004
【図３】
2008179111.tif 000005
【図４】
2008179111.tif 000006
【図５】
2008179111.tif 000007
【図６】
2008179111.tif 000008
【図７】
2008179111.tif 000009
【図８】
2008179111.tif 000010
【図９】
2008179111.tif 000011
【図１０】
2008179111.tif 000012